(57)【要約】【課題】外出しようとする人に気象関連情報に基づいた情報を玄関先で伝達することで、気象状況に対する注意喚起が確実に行える情報伝達装置を提供することにある。【解決手段】情報伝達装置Ａは、玄関に配置される建具や家具等の玄関周り設備，例えば傘立て７に有機ＥＬ発光素子からなる表示器８を備え、外部の天気情報サーバ８からの天気情報に基づいて表示器８の発光状態を変化させ天気情報を外出する人に伝達する。【選択図】図１
2008170348.tif 000002
【特許請求の範囲】
【請求項１】
玄関に配置される建具や家具等の玄関周り設備に有機ＥＬ発光素子からなる情報伝達手段を備え、外部からの気象関連情報に基づいて情報伝達手段の発光状態を変化させ気象関連情報の伝達を行うことを特徴とする情報伝達装置。
【請求項２】
前記玄関周り設備が傘立てであって、前記気象関連情報が天気情報であることを特徴とする請求項１記載の情報伝達装置。
【請求項３】
前記天気情報は、広域ネットワーク上に設けられた天気情報提供用サーバから住宅内のホームサーバに送られてくる情報であって、前記情報伝達手段には前記ホームサーバに接続される宅内ネットワークを介して前記天気情報を受け取る通信手段を備えていることを特徴とする請求項１又は２記載の情報伝達装置。
【発明の詳細な説明】
【技術分野】
【０００１】
本発明は、気象情報を玄関先で伝達する情報伝達装置に関するものである。
【背景技術】
【０００２】
インターネット上に気象庁や気象情報提供業者が設置している天気情報サーバから天気情報を取得し、この天気情報に基づいて機器制御を行うシステムが近年提供されてきている（例えば、特許文献１）。
【特許文献１】特開平２００６−２０３５１８号公報
【発明の開示】
【発明が解決しようとする課題】
【０００３】
ところで、特許文献１に開示されているシステムでは、インターネット上の天気情報サーバから配信される天気情報を受け取った家庭内のホームゲートウェイが家庭内のネットワーク家電機器を天気情報に基づいて制御するものであって、例えば雨が降った日にはエアコンを除湿運転させたり、或いは気温が高かった日には設定温度を低くするなどの自動操作を行うようにしたものである。
【０００４】
しかし、このシステムでは、雨が降る確率の高い日等に外出する人に、傘を忘れなどの注意喚起を与える機能等の身近で且つ有効な機能が備わっておらず、家庭内の機器は天気に対応した制御ができても、外出先で雨にあってずぶ濡れになり、風邪を引く等という問題には何ら役立たないという問題があった。
【０００５】
本発明は、上述の点に鑑みて為されたもので、その目的とするところは、外出しようとする人に気象関連情報に基づいた情報を玄関先で伝達することで、気象状況に対する注意喚起が確実に行える情報伝達装置を提供することにある。
【課題を解決するための手段】
【０００６】
上述の目的を達成するために、請求項１の発明では、玄関に配置される建具や家具等の玄関周り設備に有機ＥＬ発光素子からなる情報伝達手段を備え、外部からの気象関連情報に基づいて情報伝達手段の発光状態を変化させ気象関連情報の伝達を行うことを特徴とする。
【０００７】
請求項２の発明では、請求項１の発明において、前記玄関周り設備が傘立てであって、前記気象関連情報が天気情報であることを特徴とする。
【０００８】
請求項３の発明では、請求項１又は２の発明において、前記天気情報は、広域ネットワーク上に設けられた天気情報提供用サーバから住宅内のホームサーバに送られてくる情報であって、前記情報伝達手段には前記ホームサーバに接続される宅内ネットワークを介して前記天気情報を受け取る通信手段を備えていることを特徴とする。
【発明の効果】
【０００９】
本発明は、外出しようとする人に気象関連情報に基づいた情報を玄関先で伝達することで、外出しようとする人に、気象状況に対応して傘を持って出ることや、防寒対策等に対する注意喚起が確実に行えるいう効果がある。
【発明を実施するための最良の形態】
【００１０】
以下本発明を実施形態により説明する。
（実施形態１）
図１は本実施形態の情報伝達装置を用いたシステム構成を示しており、情報伝達装置Ａを設置する宅内Ｈには、接続業者の通信回線を通じてインターネット１に接続されるとともにホームサーバ（ホームゲートウェイ）２と、このホームサーバ２のルーティング機能と、ハブ機能を利用した宅内ネットワーク（以下ＬＡＮという）３には、住宅内の家電機器４を制御・監視するコントローラ４１、本実施形態の情報伝達装置のコントローラ３２、更にコントローラ４１との間で制御情報や監視情報の授受を行うことで、コントローラ３１を通じて家電機器４を制御したり、家電機器４の状態を監視する操作・表示装置５等をＬＡＮ用のネット端末として接続している。
【００１１】
コントローラ４１は例えば時分割多重伝送信号によって制御監視を行う伝送ユニットを構成し、信号線Ｌに接続した家電機器６内の端末部に対してアクセスを行うことで、家電器６を制御したり、家電機器６の状態情報を取得するようになっている
ここで、本実施形態の情報伝達装置Ａは、コントローラ４２と、このコントローラ４２に接続された表示器８とで構成され、表示器８は、図２に示すように玄関ＥＮ周りの設備の一つである傘立て７に組み込まれ、その発光面を傘立て７の開口周縁部の上面に設けてある。
【００１２】
コントローラ４２は、インターネット１上に気象庁或いは気象情報提供業者が設置した天気情報サーバＢからインターネット１，ホームサーバ２，ＬＡＮ３を通じて天気情報を定期的に取得し、その天気情報を表示器８に渡す機能を備え、この表示器８とともに情報伝達装置Ａを構成する。
【００１３】
表示器８は、図３（ａ）、（ｂ）に示すように環状の基板８０の表面に等間隔で円弧状の例えば４個の有機ＥＬ発光素子８１を配置して形成された発光表示部８２と、図４に示すように発光表示部８２の各有機ＥＬ発光素子８１の発光状態を、コントローラ４２から受け取る天気情報に基づいて制御する発光制御部８３とで構成される。
【００１４】
発光表示部８２は図示するように有機ＥＬ発光素子８１の外側に位置する基板８０の表面に、各有機ＥＬ発光素子８１に対して発光用の直流電圧を印加するための負極電極８４ａと、正極電極８４ｂとを交互に周方向に設けており、正極電極８４ｂと負極電極８４ａ間に印加される直流電圧がオンオフされることで、負極電極８４ａに対応する有機ＥＬ発光素子８１の発光を個別に制御されるようになっている。
【００１５】
発光制御部８３は、図示するように各有機発光素子８１に発光のための直流電圧を供給する駆動電源部８３ａと、天気情報から降雨確率や、予想気温、予想風速等を判断する判断部８３ｂと、該判断機能部８３ｂが判断した天気情報内容に基づいて駆動電源部８３ａから有機ＥＬ発光素子８１への直流電圧供給を上述の各負極電極８２への通電路をオンオフすることで制御する制御機能部８３ｃとを備えている。
【００１６】
而して発光制御部８３の判断機能部８３ｂは、コントローラ４２を通じて受け取る天気情報サーバＢからの天気情報に含まれる例えば降雨確率を判断し、その判断結果を受け取る制御機能部８３ｃは、例えば降雨確率が０〜２５％の場合には発光させる有機ＥＬ発光素子８１を一つ、２５％を越えて５０％までの場合には発光させる有機ＥＬ発光素子８１を２つ、更に５０％を越え、７５％までの場合には発光させる有機ＥＬ発光素子８１を３つ、更に７５％を越え１００％までの場合には発光させる有機ＥＬ発光素子８１を４つというように発光数を、駆動電源部８３ａを通じて制御する。
【００１７】
これにより、外出しようとする人Ｍは、有機ＥＬ発光素子８１の発光数を見ることで、当日の降雨確率を知ることができ、これにより傘Ｘを持って出る必要があるか否かの判断ができ、それにより外出先で雨に濡れることが少なくなる。
【００１８】
また点滅パターンを変えることで、当日の予想気温に対応して例えば「寒くなるので、防寒対策を」、また「暑くなるので防暑対策を」というようなメッセージを間接的に伝えたり、或いは風雨が強くなることをアピールする表示を行う。これにより、外出時の服装を見直すことができることになる。
【００１９】
尚発光色を変化させたり、有機ＥＬ発光素子８１の数を増加させることで、伝達する情報量を増やすことができ、これによって花粉情報や、紫外線情報などをも提示することができ、実施形態には限定されない。
【００２０】
更に本実施形態では有機ＥＬ発光素子８１の数を４個としているが、これに限定されるものではなく、５個以上であってもよく、また４個未満でも良い。更に完全な円環状に形成した１個の有機ＥＬ発光素子８１を用いても良い。
【００２１】
また、完全な円環状に形成した１個の有機ＥＬ発光素子８１を用いる場合には、例えば連続発光で”晴れ”を、低速度で発光を点滅させて”曇り”を、高速度で発光を点滅させて”雨”をというように発光状態の変化によって複数の天気情報を伝達するようにしても良い。
【００２２】
また、更に円環状に形成した有機ＥＬ発光素子８１を複数同心円状に配置して夫々の有機ＥＬ発光素子８１の発光状態や、発光状態の組み合わせより、複数の天気情報を伝達するようにしても良い。
【図面の簡単な説明】
【００２３】
【図１】実施形態１を用いたシステム構成図である。
【図２】実施形態１の表示器の配置例図である。
【図３】（ａ）は実施形態１の表示器の発光表示部の上面図、（ｂ）は側面図である。
【図４】実施形態１の表示器の構成図である。
【符号の説明】
【００２４】
Ａ  情報伝達装置
Ｂ  天気情報サーバ
Ｈ  宅内
１  インターネット
２  ホームサーバ
３  ＬＡＮ
４１，４２にコントローラ
５  操作・表示装置
６  家電機器
７  傘立て
８  表示器
８２  発光表示部
【図１】
2008170348.tif 000003
【図２】
2008170348.tif 000004
【図３】
2008170348.tif 000005
【図４】
2008170348.tif 000006